(57)【要約】【課題】試験用に提供される特定電子書籍の閲覧中、カンニング行為をしたか否かを監視検出すること。【解決手段】携帯用端末装置にダウンロードされるコンテンツ３を有する電子書籍１と、携帯用端末装置にダウンロードされたとき該携帯用端末装置に予めインストールされている制御プログラム１１と協働する個別設定情報５とからなる。個別設定情報は電子書籍を識別する情報からなる。制御プログラム１１は、上記個別設定情報と協働することにより、試験モード中上記携帯用端末装置の基本ソフトウェアの機能を利用してカンニング行為の監視をする監視手段と、上記監視手段によるカンニングの検出信号により人に認識させるための処理を上記基本ソフトウェアに指令するインターフェース管理手段とを備え、音声発生処理及び／又は画像表示処理をＯＳ９に指示し、ＯＳの機能を利用して人にカンニングの発生を認識させる。【選択図】図４
2015012464.tif 000002
【特許請求の範囲】
【請求項１】
携帯用端末装置にダウンロードされるコンテンツを有する電子書籍と、携帯用端末装置にダウンロードされたとき該携帯用端末装置に予めインストールされている制御プログラムと協働する個別設定情報とからなり、
該個別設定情報が上記電子書籍を識別する情報からなり、
上記制御プログラムは、上記個別設定情報と協働することにより、試験モード中上記携帯用端末装置の基本ソフトウェアの機能を利用してカンニング行為の監視をする監視手段と、
上記監視手段によるカンニングの検出信号により人に認識させるための処理を上記基本ソフトウェアに指令するインターフェース管理手段とを備えることを特徴とする電子書籍のカンニング防止システム。
【請求項２】
請求項１記載の電子書籍のカンニング防止システムにおいて、上記カンニング行為の監視が上記制御プログラムと上記基本ソフトウェアとの間の単位時間毎の監視ループからなることを特徴とする電子書籍のカンニング防止システム。
【請求項３】
請求項１記載の電子書籍のカンニング防止システムにおいて、上記カンニング行為の監視が上記制御プログラムをバックグラウンドに移行させるか否かの検出からなることを特徴とする電子書籍のカンニング防止システム。
【請求項４】
請求項１乃至請求項３のいずれか一に記載の電子書籍のカンニング防止システムにおいて、上記監視手段による監視がネットワーク接続の監視であることを特徴とする電子書籍のカンニング防止システム。
【請求項５】
請求項１乃至請求項３のいずれか一に記載の電子書籍のカンニング防止システムにおいて、上記監視手段による監視が通信の管理であることを特徴とする電子書籍のカンニング防止システム。
【請求項６】
請求項１乃至請求項３のいずれか一に記載の電子書籍のカンニング防止システムにおいて、上記監視手段が特定の電子書籍の閲覧以外の行為を監視することを特徴とする電子書籍のカンニング防止システム。
【請求項７】
請求項１記載の電子書籍のカンニング防止システムにおいて、上記インターフェース管理手段が視覚的処理をするものであることを特徴とする電子書籍のカンニング防止システム。
【請求項８】
請求項７記載の電子書籍のカンニング防止システムにおいて、上記インターフェース管理手段が色の変更を管理するものであることを特徴とする電子書籍のカンニング防止システム。
【請求項９】
請求項７記載の電子書籍のカンニング防止システムにおいて、上記インターフェース管理手段が発光のオン（ＯＮ）／オフ（ＯＦＦ）を管理するものであることを特徴とする電子書籍のカンニング防止システム。
【請求項１０】
請求項１記載の電子書籍のカンニング防止システムにおいて、上記インターフェース管理手段が聴覚的処理をするものであることを特徴とする電子書籍のカンニング防止システム。
【請求項１１】
請求項１０記載の電子書籍のカンニング防止システムにおいて、上記インターフェース管理手段が警告音を発生させる指令をだすものであることを特徴とする電子書籍のカンニング防止システム。
【請求項１２】
請求項１乃至請求項３のいずれか一に記載の電子書籍のカンニング防止システムにおいて、上記協働が携帯用端末装置に対するユーザの積極的な操作を要することを特徴とする電子書籍のカンニング防止システム。
【請求項１３】
請求項１乃至請求項３のいずれか一に記載の電子書籍のカンニング防止システムにおいて、上記協働が携帯用端末装置に対するユーザの消極的な操作で足ることを特徴とする電子書籍のカンニング防止システム。
【請求項１４】
請求項１乃至請求項３のいずれか一に記載の電子書籍のカンニング防止システムにおいて、上記携帯用端末装置はＧＰＳ（全地球位置測位システム）機能を有してなり、該携帯用端末装置が所定のエリア内に入った場合、自動的に位置信号を受信して試験モードに設定され、上記携帯用端末装置が所定のエリア外になった場合、上記エリア外であるとの位置信号が受信されることにより通常モードに戻ることを特徴とする電子書籍のカンニング防止システム。
【発明の詳細な説明】
【技術分野】
【０００１】
本願発明は電子書籍のカンニング防止システムに関する。
【背景技術】
【０００２】
ペーパからなる通常の書籍は、原稿作成の費用以外に、印刷費、ペーパ等の材料費、装丁費等の製作原価を要するため、大量に売れる書籍でないと原価割れするため出版することが困難なのが現状である。また、税金、管理費用がかかるため、在庫を持つことも出版社にとっては大きな負担となっている。
【０００３】
例えば学術書や大学等の教育の場で用いられる書籍は、大量に販売されるものが多くないので、中々出版する機会に恵まれないことが多い。
【０００４】
一方ＣＤ−ＲＯＭやインターネットなどで提供される電子化された書籍である電子書籍は、印刷費や材料費、装丁費の如きを要しないため、廉価にて製作することができる。
【０００５】
よって、学術書や大学等の教科書には最適のツールと考えられるが、あまり普及していないのが実情である。これは、電子書籍は利益が少ない定価設定とすることが多く、利益率が低いためと言われている。また、電子書籍を使うために必要となる電子端末が大学にまで広く普及しているとは言いがたいのもその一因になっていたと言える。
【０００６】
ところで、大学等の教科書に指定されると、試験会場に当該書籍の持込を許可されることがある。この場合カンニングに対処する必要が生じる。
【０００７】
通常のペーパ書籍の場合、書込みには限度があるためカンニングとなる程の問題は通常生じない。
【０００８】
しかしながら、電子書籍の場合、内容を閲覧するためのツールである携帯電話等の携帯用端末装置を使ってネット通信網に接続し、例えばＷＥＢ、ＳＮＳ、チャットメール（Ｆａｃｅｂｏｏｋ、Ｔｗｉｔｔｅｒ、Ｌｉｎｅ、２ちゃんねる）に接続することにより解答の不正入手を簡単に行なうことができる。
【０００９】
しかも、携帯用端末装置を使わなければ、内容を閲覧することができないため、受験者が画面を見ることは許されるのであるが、その閲覧が正規の画面であるのか、不正規の画面であるのかについて、試験監督者は容易に判別することができない。
【００１０】
よって電子書籍により大学等の教科書や学術書を製作するには、このカンニング防止の問題を解消する必要性がある。
【００１１】
電子書籍からなる教科書のカンニング防止を図るには、外部との通信制限をすることが考えられる。しかしながら、従来の通信制限技術はすべての情報源との通信を一律に制限するものであったため、本件のような場合に適用することが困難である。
【００１２】
出願人が次の検索式で特許文献を調査したところ、本願発明の参考又は示唆を与えるものを見出すことができなかった。
通信制限×外部×（不正＋カンニング）
【先行技術文献】
【特許文献】
【００１３】
【特許文献１】特開２００５−４５３９６号公報
【発明の概要】
【発明が解決しようとする課題】
【００１４】
本願発明は上記背景に鑑みなされたもので、試験用に提供される特定電子書籍の閲覧中、カンニング行為をしたか否かを監視検出することを目的とする。
【００１５】
また、ユーザ（受験者）がカンニング行為、即ち外部との通信等をした場合、監督者が一見して容易かつ確実に判別することができることを目的とする。
【課題を解決するための手段】
【００１６】
上記目的達成のため、本願発明による電子書籍のカンニング防止システムは、携帯用端末装置にダウンロードされるコンテンツを有する電子書籍と、携帯用端末装置にダウンロードされたとき該携帯用端末装置に予めインストールされている制御プログラムと協働する個別設定情報とからなり、
該個別設定情報が上記電子書籍を識別する情報からなり、
上記制御プログラムは、上記個別設定情報と協働することにより、試験モード中上記携帯用端末装置の基本ソフトウェアの機能を利用してカンニング行為の監視をする監視手段と、
上記監視手段によるカンニングの検出信号により人に認識させるための処理を上記基本ソフトウェアに指令するインターフェース管理手段とを備えることを特徴とする。
また、請求項１記載の電子書籍のカンニング防止システムにおいて、上記カンニング行為の監視が上記制御プログラムと上記基本ソフトウェアとの間の単位時間毎の監視ループからなることを特徴とする。
また、請求項１記載の電子書籍のカンニング防止システムにおいて、上記カンニング行為の監視が上記制御プログラムをバックグラウンドに移行させるか否かの検出からなることを特徴とする。
また、請求項１乃至請求項３のいずれか一に記載の電子書籍のカンニング防止システムにおいて、上記監視手段による監視がネットワーク接続の監視であることを特徴とする。
また、請求項１乃至請求項３のいずれか一に記載の電子書籍のカンニング防止システムにおいて、上記監視手段による監視が通信の管理であることを特徴とする。
また、請求項１乃至請求項３のいずれか一に記載の電子書籍のカンニング防止システムにおいて、上記監視手段が特定の電子書籍の閲覧以外の行為を監視することを特徴とする。
また、請求項１記載の電子書籍のカンニング防止システムにおいて、上記インターフェース管理手段が視覚的処理をするものであることを特徴とする。
また、請求項７記載の電子書籍のカンニング防止システムにおいて、上記インターフェース管理手段が色の変更を管理するものであることを特徴とする。
また、請求項７記載の電子書籍のカンニング防止システムにおいて、上記インターフェース管理手段が発光のオン（ＯＮ）／オフ（ＯＦＦ）を管理するものであることを特徴とする。
また、請求項１記載の電子書籍のカンニング防止システムにおいて、上記インターフェース管理手段が聴覚的処理をするものであることを特徴とする。
また、請求項１０記載の電子書籍のカンニング防止システムにおいて、上記インターフェース管理手段が警告音を発生させる指令をだすものであることを特徴とする。
また、請求項１乃至請求項３のいずれか一に記載の電子書籍のカンニング防止システムにおいて、上記協働が携帯用端末装置に対するユーザの積極的な操作を要することを特徴とする。
また、請求項１乃至請求項３のいずれか一に記載の電子書籍のカンニング防止システムにおいて、上記協働が携帯用端末装置に対するユーザの消極的な操作で足ることを特徴とする。
また、請求項１乃至請求項３のいずれか一に記載の電子書籍のカンニング防止システムにおいて、上記携帯用端末装置はＧＰＳ（全地球位置測位システム）機能を有してなり、該携帯用端末装置が所定のエリア内に入った場合、自動的に位置信号を受信して試験モードに設定され、上記携帯用端末装置が所定のエリア外になった場合、上記エリア外であるとの位置信号が受信されることにより通常モードに戻ることを特徴とする。
【発明の効果】
【００１７】
携帯用端末装置は、予めインストールされている制御プログラムに個別設定情報が符合すると、両者の協働により、携帯用端末装置の基本ソフトウェアが動作する。監視手段によりカンニング行為が検出されると、インターフェース管理手段により、人に聴覚的又は視覚的に認識させることができる。よって、試験監督者がカンニング行為か否かを瞬時に容易かつ正確に判別することができる。
【図面の簡単な説明】
【００１８】
【図１】本願発明による電子書籍のカンニング防止システムの実施の形態を示す概略図である。
【図２】図１の携帯用端末装置の操作によりあらわれる画面の一の例を示し、（Ａ）はログインするときに表示される画面、（Ｂ）はトップページの画面、（Ｃ）は電子書籍のコンテンツをダウンロードしたときに表示される画面である。
【図３】図１の携帯用端末装置の操作によりあらわれる画面の例を示し、（Ａ）は試験モードを開始するときに表示される画面、（Ｂ）は試験モードを開始するときに表示される画面である。
【図４】図１の携帯用端末装置の操作によりあらわれる画面の例を示し、（Ａ）は試験モード中の画面を表示するとともに試験モードを終了するときに表示される画面をもあらわし、（Ｂ）は試験モードを終了するときに表示される画面である。
【図５】図１の携帯用端末装置の操作によりあらわれる画面の他の例を示し、（Ａ）は試験モード中の画面、（Ｂ）試験モード解除中の画面である。
【図６】図１の電子書籍のカンニング防止システムの実施の形態の他の使用例を示す概略図である。
【図７】図１の電子書籍のカンニング防止システムによる試験モードへの切換えステップ及び試験モード終了ステップを示すフロー図である。
【図８】図１の電子書籍のカンニング防止システムによる試験モードへの切換えステップ及び試験モード終了ステップを示す他のフロー図である。
【図９】図１の電子書籍のカンニング防止システムによる試験モードの開始及び同終了のステップを示すさらに他のフロー図である。
【図１０】試験モード中における一のカンニングパターンの発生を監視するステップを示すフロー図である。
【図１１】試験モード中における他のカンニングパターンの発生を監視するステップを示すフロー図である。
【発明を実施するための形態】
【００１９】
次に、実施の形態を示す図面に基づき本願発明による電子書籍のカンニング防止システムをさらに詳しく説明する。なお、便宜上同一の機能を奏する部分には同一の符号を付してその説明を省略する。
【００２０】
１は電子書籍であり、電子情報からなるコンテンツ３からなり、該電子書籍１を識別する個別設定情報５を有してなる。上記個別設定情報５は例えば出版社名及び識別符号からなる。７は例えば携帯電話等の携帯用端末装置であり、基本ソフトウェア（ＯＳ）９、制御プログラム１１、コンテンツ表示アプリケーションプログラム１２及びユーザインタフェイス１３を備えてなる。基本ソフトウェア（ＯＳ）９は図示しないＣＰＵ、メモリなどのハードウェア本体及びディスプレイ、キーボード等の入出力機器の制御や管理をする。上記基本ソフトウェア（ＯＳ）９は、入力デバイスドライバ１０ａ及び出力デバイスドライバ１０ｂを有し、キーボード等の入力デバイス及びディスプレイ、画面、スピーカ等の出力デバイスの制御や管理をする。
【００２１】
制御プログラム１１はアプリケーションプログラムであり、電子書籍１の上記個別設定情報５がダウンロードされるとこれと協働する。即ち、該制御プログラム１１は、上記電子書籍１に搭載されたコンテンツの特定内容からなる特定コンテンツ部が画面１５（図４（Ａ）に示す）に表示される試験モード中、上記基本ソフトウェア（ＯＳ）９の機能を利用してカンニング行為の監視をする監視手段（図示省略）と、上記試験モード中人に認識させるための処理を基本ソフトウェア（ＯＳ）９に指令するインターフェース管理手段（図示省略）を備える。該インターフェース管理手段は、試験モード中、監視手段よりカンニング検出の信号を受けると、上記した各出力デバイスが動作するよう上記基本ソフトウェア（ＯＳ）９に指令信号を発する。
【００２２】
コンテンツ表示アプリケーションプログラム１２は、ダウンロードされたコンテンツ３の内容を画面に表示するよう上記基本ソフトウェア（ＯＳ）９に指令信号を発する。ユーザインタフェイス１３はディスプレイ、キーボード等の入出力機器からなる。
【００２３】
上記監視手段は、例えば次の状態を監視する。第１パターンはネットワークの接続監視である。この場合、予めネットワークへの接続を切断（いわゆるフライトモードにすることも含む）するときは、ユーザが通信の準備行為、例えば、ホームボタンの押下をしたか否か（カンニングパターンＡ）等を監視し、予めネットワークへの接続を切断しないときは、通信可能な状態か否か（カンニングパターンＢ）等を監視する。第２パターンは通信を管理する。例えば、ユーザがデータを受信するための操作をする場合、当該データの受信（パケットの受信を含む）を監視する。第３パターンは閲覧管理であり、ユーザが閲覧を許可された電子書籍の閲覧以外の行為を監視する。この場合は通信が切断されているか否かを問わない。例えば、通信が切断されている場合であっても、予めダウンロードされている閲覧を許可された電子書籍以外の電子書籍、例えば辞書、模範解答を閲覧するための操作をしているか否かを監視する。段落００２０以下の説明では、第１パターンを例にして説明している。
【００２４】
図２乃至図４に基づき、試験モード中及びカンニングがあった場合について説明する。携帯用端末装置７にユーザ名及びパスワードを入力してログインし（図２（Ａ））、表示された画面（図２（Ｂ）に示す）の「書籍管理ボタン」１６ａを選択する。次いで書籍特定ボタン１６ｂをタップすることにより、電子書籍１の特定コンテンツ部を含むコンテンツ３が、該携帯用端末装置７にダウンロードされる（図２（Ｃ））。個別設定情報５が上記コンテンツ３とともにダウンロードされると、上記制御プログラム１１は該個別設定情報５を認証し、協働する。これにより基本ソフトウェア（ＯＳ）９が動作され、画面１５に上記特定コンテンツ部の内容が表示されるとともに、該画面１５には、図３（Ａ）に示すように、「試験モード開始」と表示された試験モード開始ボタン１７ａが表示される。
【００２５】
次いで、ユーザが該試験モード開始ボタン１７ａを選択し（図３（Ａ））、次いで表示される「はい」ボタン１７ｂを選択すると（図３（Ｂ））、画面は試験モードとなったことが判るように、試験モード表示ランプ１７ｃが例えば緑色に点灯する（図４（Ａ））。
【００２６】
この状態でユーザが試験中に試験モードを解除するため、ホームボタン２１ａ又は戻るボタン２１ｂを押下すると、監視手段がこれを検出するので、インターフェース管理手段により基本ソフトウェアが動作される。するとスピーカー（図示省略）から音声（ブー音又は「カンニング発生」の音声）が発生され、また、試験モード表示ランプ１７ｃが例えば赤色に変色する（図４（Ａ））。
【００２７】
よって、試験監督者は一見して容易かつ確実に不正行為であることを判別することができる。
【００２８】
図５は、試験モード中及び試験モードが解除された画面１５の他の実施例を示す。図５は試験モードランプ１９の点灯色で示す場合で、試験モード中はモードランプ１９が例えば緑色１９ａに点灯され（図５（Ａ））、試験モードが解除されると例えば赤色１９ｂに変更される（図５（Ｂ））。
【００２９】
次に図７乃至図９に基づき、試験モードの設定及び解除について説明する。図７は実施例１であり、携帯用端末装置７に対するユーザの積極的な操作を要する場合である。図８は実施例２であり、携帯用端末装置７に対するユーザの消極的な操作で足る場合である。図９は実施例３であり、携帯用端末装置７にＧＰＳ（全地球位置測位システム）機能が搭載され、該携帯用端末装置７が大学等の試験会場となる所定のエリア２３（図６に示す）に入った場合を対象とし、ユーザの操作は予めする試験モード区域の設定のみである。ここではいずれの場合も、出力デバイスはスピーカ及び画面の併用であり、スピーカからの警告音の発生及び画面の変色により人に認識させる例である。
【００３０】
＜実施例１の場合＞
実施例１の場合、上記制御プログラム１１は次のように動作する。
【００３１】
ユーザ操作により携帯用端末装置７の試験モード開始ボタン１７ａが押下されると（Ｓ１０１）、上記制御プログラム１１が優先的に処理され、監視手段により監視フラグがオン（ＯＮ）に設定される（Ｓ１０２）。
【００３２】
次いで、上記制御プログラム１１内の音声発生処理ステップに移行し、インターフェース管理手段により基本ソフトウェア（ＯＳ）９に音声発生処理を指示する（Ｓ１０３）。
【００３３】
すると、基本ソフトウェア（ＯＳ）９及びデバイスドライバ１０ｂは音声発生処理動作をするから（Ｓ１０４）、スピーカー（図示省略）から音声（ピー音又は「試験モード開始」の音声）が発生される（Ｓ１０５）。
【００３４】
次いで、上記制御プログラム１１内の画面表示処理ステップに移行し、インターフェース管理手段により基本ソフトウェア（ＯＳ）９に画面表示処理を指示する（Ｓ１０６）。
【００３５】
すると、基本ソフトウェア（ＯＳ）９及びデバイスドライバ１０ｂは画面表示処理動作をするから（Ｓ１０７）、画面１５の下部には、前記したように、試験モード表示ランプ１７ｃ（図４（Ａ））が緑色に点灯する（Ｓ１０８）。
【００３６】
次いで、制御プログラム１１が基本ソフトウェア（ＯＳ）９にネットワーク切断処理を指示するので（Ｓ１０９）、基本ソフトウェア（ＯＳ）９がネットワークの切断処理をする（Ｓ１１０）。
【００３７】
これにより、制御プログラム１１は試験モード開始となり、上記制御プログラム１１の監視手段が基本ソフトウェア（ＯＳ）９の機能を利用して、ネットワークの接続状態の監視をする（Ｓ１１１）。
【００３８】
試験が終了した場合、試験モードを終了させるには、まず、試験モード終了ボタン１８ａを押下する（図４（Ａ））。次いで図４（Ｂ）に示す「はい」ボタン１８ｂを選択すると（Ｓ１１３）、試験モード終了ステップに移行する。
【００３９】
次いで制御プログラム１１の監視手段により監視フラグがオフ（ＯＦＦ）に設定される（Ｓ１１４）。
【００４０】
次いで、上記制御プログラム１１内の音声発生処理ステップに移行し、インターフェース管理手段により基本ソフトウェア（ＯＳ）９に音声発生処理を指示する（Ｓ１１５）。
【００４１】
すると、基本ソフトウェア（ＯＳ）９及びデバイスドライバ１０ｂは音声発生処理動作をするから（Ｓ１１６）、スピーカー（図示省略）から音声（ピー音又は「試験モード終了」の音声）が発生される（Ｓ１１７）。
【００４２】
次いで、上記制御プログラム１１内の画面表示処理ステップに移行し、インターフェース管理手段により基本ソフトウェア（ＯＳ）９に画面表示処理を指示する（Ｓ１１８）。
【００４３】
すると、基本ソフトウェア（ＯＳ）９及びデバイスドライバ１０ｂは画面表示処理動作をするから（Ｓ１１９）、画面の試験モード表示ランプ１７ｃが消灯される（Ｓ１２０）。
【００４４】
次いで、上記制御プログラム１１はネットワーク復帰処理ステップに移行し、ネットワーク復帰処理を基本ソフトウェア（ＯＳ）９に指示する（Ｓ１２１）。
【００４５】
これにより、基本ソフトウェア（ＯＳ）９はネットワーク復帰処理を行ない（Ｓ１２２）、試験モードが終了し、通常モードとなる（Ｓ１２３）。
【００４６】
＜実施例２の場合＞
実施例２の場合、携帯用端末装置７にはＩＣチップが内蔵されている。ユーザが携帯用端末装置７を教室等に設置されている例えば「Ｆｅｒｉｃａ」等の図示しない端末装置用リーダにかざすと、上記端末装置用リーダは携帯用端末装置７に内蔵されたＩＣチップを読み取る（Ｓ２０１）。
【００４７】
すると、上記端末装置用リーダ２５は携帯用端末装置７に試験モードの設定信号を送る（Ｓ２０２）。
【００４８】
次いで、入力デバイスたるリーダ読取装置１３が上記試験モード設定信号を受信し（Ｓ２０３）、基本ソフトウェア（ＯＳ）９を動作させる。
【００４９】
次いで、基本ソフトウェア（ＯＳ）９が上記制御プログラム１１に試験モード設定信号の受信を通知する（Ｓ２０４）。
【００５０】
すると、上記制御プログラム１１が優先的に処理され、監視手段により監視フラグがオン（ＯＮ）に設定される（Ｓ２０５）。
【００５１】
次いで、上記制御プログラム１１内の音声発生処理ステップに移行し、インターフェース管理手段により基本ソフトウェア（ＯＳ）９に音声発生処理を指示する（Ｓ２０６）。
【００５２】
すると、基本ソフトウェア（ＯＳ）９及びデバイスドライバ１０ｂは音声発生処理動作をするから（Ｓ２０７）、スピーカー（図示省略）から音声（ピー音又は「試験モード開始」の音声）が発生される（Ｓ２０８）。
【００５３】
次いで、上記制御プログラム１１内の画面表示処理ステップに移行し、インターフェース管理手段により基本ソフトウェア（ＯＳ）９に画面表示処理を指示する（Ｓ２０９）。
【００５４】
すると、基本ソフトウェア（ＯＳ）９及びデバイスドライバ１０ｂは画面表示処理動作をするから（Ｓ２１０）、画面１５の下部には、前記したように、試験モード表示ランプ１７ｃ（図４（Ａ））が緑色に点灯する（Ｓ２１１）。
【００５５】
次いで制御プログラム１１が基本ソフトウェア（ＯＳ）９にネットワーク切断処理を指示するので（Ｓ２１２）、基本ソフトウェア（ＯＳ）９がネットワークの切断処理をする（Ｓ２１３）。
【００５６】
これにより、制御プログラム１１は試験モード開始となり、上記制御プログラム１１の監視手段が基本ソフトウェア（ＯＳ）９の機能を利用して、ネットワークの接続状態の監視をする（Ｓ２１４）。
【００５７】
試験が終了した場合、試験モードを終了させるには、まず、試験モード終了ボタン１８ａを押下する（図４（Ａ））。次いで「はい」ボタン１８ｂを選択すると（Ｓ２１６）、試験モード終了ステップに移行する。
【００５８】
次いで制御プログラム１１の監視手段により監視フラグがオフ（ＯＦＦ）に設定される（Ｓ２１７）。
【００５９】
次いで、上記制御プログラム１１内の音声発生処理ステップに移行し、インターフェース管理手段により基本ソフトウェア（ＯＳ）９に音声発生処理を指示する（Ｓ２１８）。
【００６０】
すると、基本ソフトウェア（ＯＳ）９及びデバイスドライバ１０ｂは音声発生処理動作をするから（Ｓ２１９）、スピーカー（図示省略）から音声（ピー音又は「試験モード終了」の音声）が発生される（Ｓ２２０）。
【００６１】
次いで、上記制御プログラム１１内の画面表示処理ステップに移行し、インターフェース管理手段により基本ソフトウェア（ＯＳ）９に画面表示処理を指示する（Ｓ２２１）。
【００６２】
すると、基本ソフトウェア（ＯＳ）９及びデバイスドライバ１０ｂは画面表示処理動作をするから（Ｓ２２２）、画面の試験モード表示ランプ１７ｃが消灯される（Ｓ２２３）。
【００６３】
次いで、上記制御プログラム１１はネットワーク復帰処理ステップに移行し、ネットワーク復帰処理を基本ソフトウェア（ＯＳ）９に指示する（Ｓ２２４）。
【００６４】
これにより、基本ソフトウェア（ＯＳ）９はネットワーク復帰処理を行ない（Ｓ２２５）、試験モードが終了し、通常モードとなる（Ｓ２２６）。
【００６５】
＜実施例３の場合＞
図９はユーザが試験エリア２３に入れば自動的に試験モードに設定され、ユーザの操作を要しない場合である。図９に基づき、試験モードの開始及び同終了のステップを説明する。
【００６６】
試験モード区域の設定のあるユーザの携帯用端末装置７が図６に実線で示す試験モード区域として設定された所定のエリア２３に入ると（Ｓ３０１）、上記制御プログラム１１より図示しないＧＰＳに現在地の確認が指示される（Ｓ３０２）。
【００６７】
するとＧＰＳは現在地に関する情報を取得する（Ｓ３０３）。
【００６８】
次いでＧＰＳにより上記制御プログラム１１に現在地に関する情報を通知する（Ｓ３０４）。
【００６９】
次いで上記制御プログラム１１は現在地が試験モード区域内か否かを判断し（Ｓ３０５）、Ｙｅｓのときは、さらに監視フラグがオフ（ＯＦＦ）か否かを判断する（Ｓ３０６）。
【００７０】
ステップ３０６がＹｅｓのときは、上記制御プログラム１１が優先的に処理され、監視手段により監視フラグがオン（ＯＮ）に設定される（Ｓ３０７）。
【００７１】
次いで、上記制御プログラム１１内の音声発生処理ステップに移行し、インターフェース管理手段により基本ソフトウェア（ＯＳ）９に音声発生処理を指示する（Ｓ３０８）。
【００７２】
すると、基本ソフトウェア（ＯＳ）９及びデバイスドライバ１０ｂは音声発生処理動作をするから（Ｓ３０９）、スピーカー（図示省略）から音声（ピー音又は「試験モード開始」の音声）が発生される（Ｓ３１０）。
【００７３】
次いで、上記制御プログラム１１内の画面表示処理ステップに移行し、インターフェース管理手段により基本ソフトウェア（ＯＳ）９に画面表示処理を指示する（Ｓ３１１）。
【００７４】
すると、基本ソフトウェア（ＯＳ）９及びデバイスドライバ１０ｂは画面表示処理動作をするから（Ｓ３１２）、画面１５の下部には、前記したように、試験モード表示ランプ１７ｃ（図４（Ａ））が緑色に点灯する（Ｓ３１３）。
【００７５】
次いで制御プログラム１１が基本ソフトウェア（ＯＳ）９にネットワーク切断処理を指示するので（Ｓ３１４）、基本ソフトウェア（ＯＳ）９がネットワークの切断処理をする（Ｓ３１５）。
【００７６】
これにより、上記制御プログラム１１が通常モードから「試験モード開始」となり、上記制御プログラム１１の監視手段が基本ソフトウェア（ＯＳ）９の機能を利用して、ネットワークの接続状態の監視をする（Ｓ３１６）。
【００７７】
ステップ３０５がＮＯのときは、ステップ３１７に移行し、ここで監視フラグがオン（ＯＮ）でない場合ステップ３０２に戻る（Ｓ３１７）。
【００７８】
試験が終了した場合、試験モードを終了させるには次のステップを経る。まず、携帯用端末装置７が図６に一点鎖線に示す試験モード区域外に出ると、ステップ３０５がＮＯとなるのでステップ３１７に移行する。ステップ３１７においては上記制御プログラム１１により監視フラグがＯＮか否かにつき判断され、Ｙｅｓのときは次いで監視手段により監視フラグがオフ（ＯＦＦ）に設定される（Ｓ３１８）。
【００７９】
次いで、上記制御プログラム１１内の音声発生処理ステップに移行し、インターフェース管理手段により基本ソフトウェア（ＯＳ）９に音声発生処理を指示する（Ｓ３１９）。
【００８０】
すると、基本ソフトウェア（ＯＳ）９及びデバイスドライバ１０ｂは音声発生処理動作をするから（Ｓ３２０）、スピーカー（図示省略）から音声（ピー音又は「試験モード終了」の音声）が発生される（Ｓ３２１）。
【００８１】
次いで、上記制御プログラム１１内の画面表示処理ステップに移行し、インターフェース管理手段により基本ソフトウェア（ＯＳ）９に画面表示処理を指示する（Ｓ３２２）。
【００８２】
すると、基本ソフトウェア（ＯＳ）９及びデバイスドライバ１０ｂは画面表示処理動作をするから（Ｓ３２３）、画面の試験モード表示ランプ１７ｃが消灯される（Ｓ３２４）。
【００８３】
次いで、上記制御プログラム１１はネットワーク復帰処理ステップに移行し、ネットワーク復帰処理を基本ソフトウェア（ＯＳ）９に指示する（Ｓ３２５）。
【００８４】
すると、基本ソフトウェア（ＯＳ）９はネットワーク復帰処理を行なう（Ｓ３２６）。
【００８５】
これにより、試験モードが終了となり、通常モードとなる（Ｓ３２７）。
【００８６】
図１０は、予めネットワークへの接続を切断し（いわゆるフライトモードにすることも含む）、試験モードにした場合において、ユーザ操作による通信の準備行為があった場合（カンニングパターンＡ）のステップを示す。
【００８７】
上記した実施例１乃至実施例３の試験モード中において、ユーザ（学生）がカンニングのための操作、即ち、ホームボタン２１ａ又は戻るボタン２１ｂを押下すると（Ｓ１１）、基本ソフトウェア（ＯＳ）９は制御プログラム１１をバックグラウンドに移行させる（Ｓ１２）。
【００８８】
すると、監視態勢をとっている制御プログラム１１の監視手段は、制御プログラム１１がバックグラウンドに移行したことを検出するので（Ｓ１３）、制御プログラム１１のインターフェース管理手段により、基本ソフトウェア（ＯＳ）９に音声発生処理を指示する（Ｓ１４）。
【００８９】
よって、基本ソフトウェア（ＯＳ）９及びデバイスドライバ１０ｂが処理動作をするから（Ｓ１５）、スピーカー（図示省略）から音声（ブー音又は「カンニング発生」の音声）が発生される（Ｓ１６）。
【００９０】
次いで監視態勢にある制御プログラム１１は、基本ソフトウェア（ＯＳ）９に画面表示処理を指示する（Ｓ１７）。
【００９１】
よって、基本ソフトウェア（ＯＳ）９及びデバイスドライバ１０ｂが画面表示処理動作をするから（Ｓ１８）、試験モード表示ランプ１７ｃが赤色に変色する（Ｓ１９）。よって、試験監督者は一見して容易かつ確実に不正行為であることを判別することができる。
【００９２】
図１１は、予めネットワークへの接続を切断しないで試験モードにした場合、即ち通信可能な状態において通信した場合（カンニングパターンＢ）のステップを示す。上記制御プログラム１１は、試験モード中監視態勢となり、数分に１回の頻度で上記基本ソフトウェア（ＯＳ）９と交信する。以下詳述する。
【００９３】
制御プログラム１１の監視ループは、まず、上記基本ソフトウェア（ＯＳ）９にネットワークとの接続状況の確認を指示する（Ｓ２１）。
【００９４】
すると上記基本ソフトウェア（ＯＳ）９は、ネットワークとの接続状況を上記制御プログラム１１に通知する（Ｓ２２）。
【００９５】
すると上記制御プログラム１１は、ネットワークとの接続が可能であるか否かを判断し、Ｎｏの場合、即ち、異常なしの場合は監視ループ終了となる（Ｓ２３）。上記監視ループは試験モード中継続して数分に１回の頻度でＮ回行われる。
【００９６】
ステップ２３（Ｓ２３）において、ネットワーク接続Ｙｅｓの場合は、カンニング発生として、監視手段がインターフェース管理手段に指令を発する。よって、上記制御プログラム１１より上記基本ソフトウェア（ＯＳ）９へ指令が発せられ（Ｓ２４）、さらに上記基本ソフトウェア（ＯＳ）９から上記ユーザインタフェイス１３に指令が発せられるので（Ｓ２５）、スピーカから警告音が鳴る（Ｓ２６）。
【００９７】
また上記制御プログラム１１より上記基本ソフトウェア（ＯＳ）９へ指令が発せられ（Ｓ２７）、さらに上記基本ソフトウェア（ＯＳ）９から上記ユーザインタフェイス１３に指令が発せられるので（Ｓ２８）、試験モード表示ランプ１７ｃが赤色に変色する（Ｓ２９）。よって、試験監督者は一見して容易かつ確実に不正行為であることを判別することができる。
【００９８】
上記した実施の形態によれば、人への認識手段として聴覚的手段及び視覚的を併用するため、携帯用端末装置７がユーザにより消音状態で使用されていても、確実に不正行為を判別することができる。
【００９９】
またカンニングを瞬時に容易かつ正確に判別することができる。これにより学生等のユーザにとってはカンニングの抑止効果となる。
【０１００】
さらに、カンニングの確実な判別乃至カンニングの抑止効果を有することから、大学テキストとなる電子書籍や一般電子書籍の普及促進が期待され、また毎年改定することも可能となる。
【０１０１】
電子書籍は廉価に製作できるため、部数に関係なく、書籍の製作が可能となる。よって、通常のペーパ書籍を出版できない著書にとって非常に有利となる。
【０１０２】
この外、カラーや音声を入れたテキスト、ウェブ（ＷＥＢ）との連携をする等、出版界に革命をもたらす程のインパクトを与えることができる。
【０１０３】
本願発明は上記した実施の形態に限定されない。例えば、制御プログラム１１の監視手段による監視は、第２パターンとしての通信管理による監視、即ち例えば、ユーザがデータを受信するための操作をしたか否かを監視する場合又は第３パターンとしての閲覧監視即ち、通信制限下において予めダウンロードされている閲覧が許可された電子書籍の閲覧以外の電子書籍を閲覧したか否かを監視する場合であってもよい。また上記カンニングパターンＡのバリエーションとして、ネットワークへの通信切断後、ユーザ操作を要せず外部との通信を許すか否かを監視する場合が考えられる。さらに本願発明による電子書籍のカンニング防止システムは、ホームボタン以外のユーザ操作によるカンニングの場合にも適用することができる。
【０１０４】
制御プログラム１１のインターフェース管理手段は視覚的処理又は聴覚的処理をするものであってもよい。視覚的処理をする場合、画面自体の色彩を試験モード中は緑色に、不正行為時は赤色に変色させることとしてもよい。この場合、試験モード表示ランプ１７ｃの設置は任意である。また試験モード表示ランプ１７ｃ、画面１５の色彩は任意であり、カンニングの発生を判別できるものであればよい。聴覚的な処理をする場合、警告音又は音声の種類は変更を判別できるものであれば任意である。
【０１０５】
個別設定情報５は電子書籍を識別できる情報であれば任意であり、例えば文字列、記号等であってもよい。さらに上記携帯用端末装置は種類を問わない。例えば、タブレット、スマートフォンでもよく、また携帯可能なパーソナルコンピュータでもよい。なお、個別設定情報５が電子書籍とは別体に供されてもよい。
【産業上の利用可能性】
【０１０６】
本願発明は電子書籍のカンニング防止に活用することができる。
【符号の説明】
【０１０７】
１      電子書籍
３      コンテンツ
５      個別設定情報
７      携帯用端末装置
９      基本ソフトウェア（ＯＳ）
１０ａ  入力デバイスドライバ
１０ｂ  出力デバイスドライバ
１１    制御プログラム
１２    コンテンツ表示アプリケーションプログラム
１３    ユーザインタフェイス
１５    画面
１６ａ  書籍管理ボタン
１６ｂ  書籍特定ボタン
１７ａ  試験モード開始ボタン
１７ｂ  「はい」ボタン
１７ｃ  試験モード表示ランプ
１８ａ  試験モード終了ボタン
１８ｂ  「はい」ボタン
１９    モードランプ
１９ａ  モードランプ
１９ｂ  モードランプ
２１ａ  ホームボタン
２１ｂ  戻るボタン
２３    エリア
２５    端末用リーダ
【図１】
2015012464.tif 000003
【図２】
2015012464.tif 000004
【図３】
2015012464.tif 000005
【図４】
2015012464.tif 000006
【図５】
2015012464.tif 000007
【図６】
2015012464.tif 000008
【図７】
2015012464.tif 000009
【図８】
2015012464.tif 000010
【図９】
2015012464.tif 000011
【図１０】
2015012464.tif 000012
【図１１】
2015012464.tif 000013